(57)【要約】【課題】  プレイリストの作成を自動化してユーザがプレイリストを作成するのに感じる負担を軽減すると共に、作成されたプレイリストの選択を補助してプレイリストを選択するのに感じる負担を軽減する楽曲再生装置を提供する。【解決手段】  楽曲の音データと、複数の主題に対し、楽曲が主題に沿うかをそれぞれ特定する複数の主題情報とが対応付けられる楽曲情報を複数含む楽曲表を含む記憶部と、楽曲の音データを読み出して再生信号を出力する制御部とを備える楽曲再生装置を提供する。楽曲再生装置は、主題に沿う楽曲を特定し、特定された楽曲を識別する情報を含むプレイリストを、所定のタイミングで作成し、作成されるプレイリストから、複数のプレイリストを抽出し、対応する主題を表示部に表示し、表示される主題から、入力部を介して要求される主題に対応するプレイリストを取得し、取得されたプレイリストにより識別される楽曲の音データを再生する。【選択図】    図３
2006243854.tif 000002
【特許請求の範囲】
【請求項１】
利用者からの要求が入力される入力部と、
前記利用者に提供される情報が表示される表示部と、
楽曲の音データと、複数の主題に対し、前記楽曲が前記主題に沿うかをそれぞれ特定する複数の主題情報とが対応付けられる楽曲情報を複数含む楽曲表を含む記憶部と、
前記記憶部から前記楽曲の音データを読み出して再生信号を出力する制御部とを備え、
前記制御部は、
前記楽曲表の前記主題情報に基づき、前記主題毎に、該主題に沿う前記楽曲を特定し、前記特定された楽曲を識別する情報を含むプレイリストを、所定のタイミングで作成するプレイリスト作成部と、
前記主題毎に作成されるプレイリストのうち、複数のプレイリストを抽出し、前記抽出されるプレイリストに対応する前記主題を、前記表示部に表示する選択候補決定部と、
前記表示部に表示される主題のうち、前記入力部を介して要求される主題に対応する前記プレイリストを取得し、該取得されたプレイリストにより識別される前記楽曲の音データを読み出して、前記再生信号を出力する再生部とを有することを特徴とする楽曲再生装置。
【請求項２】
利用者からの要求が入力される入力部と、
前記利用者に提供される情報が表示される表示部と、
楽曲の音データと、複数の主題に対し、前記楽曲が前記主題に沿うかをそれぞれ特定する複数の主題情報とが対応付けられる楽曲情報を複数含む楽曲表を含む記憶部と、
前記記憶部から前記楽曲の音データを読み出して再生信号を出力する制御部とを備え、
前記制御部は、
前記楽曲表の前記主題情報に基づき、前記主題毎に、該主題に沿う前記楽曲を特定し、前記特定された楽曲を識別する情報を含むプレイリストを、所定のタイミングで作成するプレイリスト作成部と、
前記主題毎に作成されるプレイリストのうち、複数のプレイリストを抽出し、前記抽出されるプレイリストに対応する前記主題を、前記表示部に表示する選択候補決定部と、
前記表示部に表示される主題のうち、前記入力部を介して要求される主題に対応する前記プレイリストを取得し、該取得されたプレイリストに含まれる楽曲のうち、前記利用者が前記入力部を介して要求する楽曲の音データを読み出して、前記再生信号を出力する再生部とを有することを特徴とする楽曲再生装置。
【請求項３】
請求項１又は２において、
更に、時刻を取得する計時部を有し、
前記主題は、時間概念を持つ主題を特定する時間概念情報により、前記時間概念を持つ主題と、前記時間概念を持たない主題とに分類されており、
前記選択候補決定部は、前記計時部により取得される前記時刻に基づき、前記時間概念を持つ主題を選択し、該選択された主題に対応する前記プレイリストを抽出することを特徴とする楽曲再生装置。
【請求項４】
請求項１乃至３のいずれかにおいて、
前記所定のタイミングは、前記楽曲表に含まれる前記楽曲情報が更新される時であることを特徴とする楽曲再生装置。
【請求項５】
請求項１乃至３のいずれかにおいて、
前記所定のタイミングは、前記主題の項目が更新される時であることを特徴とする楽曲再生装置。
【請求項６】
請求項１乃至３のいずれかにおいて、
前記所定のタイミングは、前記入力部を介して楽曲再生要求が入力される時であることを特徴とする楽曲再生装置。
【請求項７】
請求項１乃至３のいずれかにおいて、
前記プレイリストには、該プレイリストに対応する前記主題が前記表示部に表示された回数が対応付けられており、
前記選択候補決定部は、前記抽出されるプレイリストに対応する前記主題の数が、前記表示部に表示可能な前記主題の数より多い場合、前記表示回数が最小の前記主題から優先的に前記表示部に表示することを特徴とする楽曲再生装置。
【請求項８】
請求項１乃至３のいずれかにおいて、
前記プレイリストには、該プレイリストにより識別される前記楽曲の曲数が対応付けられており、
前記選択候補決定部は、前記曲数が所定の閾値以上である前記プレイリストを抽出することを特徴とする楽曲再生装置。
【請求項９】
請求項３において、
前記記憶部には、前記時間概念を持つ主題と前記時間概念を持たない主題とに関する表示数の配分を決定する情報が、前記入力部を介して変更可能に格納されており、
前記選択候補決定部は、前記記憶部に格納される前記表示数の配分を決定する情報に基づき、前記時間概念を持つ主題と前記時間概念を持たない主題とをそれぞれ前記表示部に表示することを特徴とする楽曲再生装置。
【請求項１０】
請求項９において、
前記選択候補決定部は、更に、前記表示数の配分を、前記時間概念を持つ主題に属する前記楽曲の数と、前記時間概念を持たない主題に属する前記楽曲の数との比に基づき決定し、前記表示数の配分を決定する情報として前記記憶部に格納することを特徴とする楽曲再生装置。
【請求項１１】
請求項３において、
前記記憶部には、前記時間概念を階層的に分類する区分毎に、該区分に含まれる前記時間概念を持つ主題が対応付けられるテーマ表が格納されており、
前記選択候補決定部は、最下層の区分に対応する前記テーマ表に基づき抽出されるプレイリストに対応する前記主題の数が、前記表示部に表示可能な前記主題の数より少ない場合、前記最下層の区分より上位の区分に対応する前記テーマ表に基づき、前記プレイリストを抽出することを特徴とする楽曲再生装置。
【請求項１２】
利用者からの要求が入力される入力部と、  利用者に提供される情報が表示される表示部と、
楽曲の音データと、複数の主題に対し、前記楽曲が前記主題に沿うかをそれぞれ特定する複数の主題情報とが対応付けられる楽曲情報を複数含む楽曲表を含む記憶部と、前記記憶部から前記楽曲の音データを読み出して再生信号を出力する制御部とを備える楽曲再生装置を用いて行う楽曲再生方法であって、
前記制御部は、前記楽曲表の前記主題情報に基づき、前記主題毎に、該主題に沿う前記楽曲を特定し、
前記制御部は、前記特定された楽曲を識別する情報を含むプレイリストを、所定のタイミングで作成し、
前記制御部は、前記主題毎に作成されるプレイリストのうち、複数のプレイリストを抽出し、
前記制御部は、前記抽出されるプレイリストに対応する前記主題を、前記表示部に表示し、
前記制御部は、前記表示部に表示される主題のうち、前記入力部を介して要求される主題に対応する前記プレイリストを取得し、
前記制御部は、該取得されたプレイリストにより識別される前記楽曲の音データを読み出して、前記再生信号を出力することを特徴とする楽曲再生方法。
【請求項１３】
請求項１２において、
前記主題は、時間概念を持つ主題を特定する時間概念情報により、前記時間概念を持つ主題と、前記時間概念を持たない主題とに分類されており、更に、
前記制御部は、時刻を取得し、
前記制御部は、前記取得される前記時刻に基づき、前記時間概念を持つ主題を選択し、
前記制御部は、該選択された主題に対応する前記プレイリスト抽出することを特徴とする楽曲再生方法。
【請求項１４】
請求項１２又は１３において、
前記プレイリストには、該プレイリストにより識別される前記楽曲の曲数が対応付けられており、
前記制御部が、前記曲数が所定の閾値以上である前記プレイリストを抽出することを特徴とする楽曲再生方法。
【請求項１５】
請求項１３において、
前記記憶部には、前記時間概念を持つ主題と前記時間概念を持たない主題とに関する表示数の配分を決定する情報が、前記入力部を介して変更可能に格納されており、
前記制御部が、前記記憶部に格納される前記表示数の配分を決定する情報に基づき、前記時間概念を持つ主題と前記時間概念を持たない主題とをそれぞれ前記表示部に表示することを特徴とする楽曲再生方法。
【請求項１６】
請求項１３において、
前記記憶部には、前記時間概念を階層的に分類する区分毎に、該区分に含まれる前記時間概念を持つ主題が対応付けられるテーマ表が格納されており、
前記制御部が、最下層の区分に対応する前記テーマ表に基づき抽出されるプレイリストに対応する前記主題の数が、前記表示部に表示可能な前記主題の数より少ない場合、前記最下層の区分より上位の区分に対応する前記テーマ表に基づき、前記プレイリストを抽出することを特徴とする楽曲再生方法。
【請求項１７】
利用者からの要求が入力される入力部と、  利用者に提供される情報が表示される表示部と、
楽曲の音データと、複数の主題に対し、前記楽曲が前記主題に沿うかをそれぞれ特定する複数の主題情報とが対応付けられる楽曲情報を複数含む楽曲表を含む記憶部と、前記記憶部から前記楽曲の音データを読み出して再生信号を出力する制御部とを備える楽曲再生装置に、
前記楽曲表の前記主題情報に基づき、前記主題毎に、該主題に沿う前記楽曲を特定する手順と、
前記特定された楽曲を識別する情報を含むプレイリストを所定のタイミングで作成する手順と、
前記主題毎に作成されるプレイリストのうち、複数のプレイリストを抽出する手順と、
前記抽出されるプレイリストに対応する前記主題を前記表示部に表示する手順と、
前記表示部に表示される主題のうち、前記入力部を介して要求される主題に対応する前記プレイリストにより識別される前記楽曲の音データを読み出して前記再生信号を出力す
る手順とを実行させるためのプログラム。
【請求項１８】
請求項１７において、
前記主題は、時間概念を持つ主題を特定する時間概念情報により、前記時間概念を持つ主題と、前記時間概念を持たない主題とに分類されており、更に、前記楽曲再生装置に、
時刻を取得する手順と、
前記取得される前記時刻に基づき、前記時間概念を持つ主題を選択する手順と、
該選択された主題に対応する前記プレイリストを抽出する手順を実行させるためのプログラム。
【請求項１９】
請求項１７又は１８において、
前記プレイリストには、該プレイリストにより識別される前記楽曲の曲数が対応付けられており、
前記曲数が所定の閾値以上である前記プレイリストが抽出されることを特徴とするプログラム。
【請求項２０】
請求項１８において、
前記記憶部には、前記時間概念を持つ主題と前記時間概念を持たない主題とに関する表示数の配分を決定する情報が、前記入力部を介して変更可能に格納されており、
前記記憶部に格納される前記表示数の配分を決定する情報に基づき、前記時間概念を持つ主題と前記時間概念を持たない主題とがそれぞれ前記表示部に表示されることを特徴とするプログラム。
【請求項２１】
請求項１８において、
前記記憶部には、前記時間概念を階層的に分類する区分毎に、該区分に含まれる前記時間概念を持つ主題が対応付けられるテーマ表が格納されており、
最下層の区分に対応する前記テーマ表に基づき抽出されるプレイリストに対応する前記主題の数が、前記表示部に表示可能な前記主題の数より少ない場合、前記最下層の区分より上位の区分に対応する前記テーマ表に基づき、前記プレイリストが抽出されることを特徴とするプログラム。
【請求項２２】
楽曲の音データと、複数の主題に対し、前記楽曲が前記主題に沿うかをそれぞれ特定する複数の主題情報とが対応付けられる楽曲情報を複数含む楽曲表を含む記憶部と、前記記憶部から前記楽曲の音データを読み出して再生信号を出力する制御部とを備える楽曲再生装置を用いて行う楽曲の選曲方法であって、
前記制御部は、前記楽曲表の前記主題情報に基づき、前記主題毎に、該主題に沿う前記楽曲を特定し、
前記制御部は、前記特定された楽曲を識別する情報を含むプレイリストを、所定のタイミングで作成し、前記主題毎に作成されるプレイリストのうち、複数のプレイリストを抽出することを特徴とする楽曲の選曲方法。
【発明の詳細な説明】
【技術分野】
【０００１】
本発明は、記憶媒体に格納された楽曲を再生可能な楽曲再生装置、楽曲再生装置における楽曲再生方法及び関連するプログラム及び楽曲再生装置における楽曲選曲方法に関する。
【背景技術】
【０００２】
CD(Compact Disc)、DVD(Digital Versatile Disk)、MD(Mini Disk)等の記憶媒体に格納された楽曲を再生する楽曲再生装置は、携帯型、据え置き型を含め、現在広く普及している。近年、一度に複数枚のディスクを格納することができるCD／DVD／MDチェンジャーを
搭載する再生装置や、記憶媒体としてCD等より大容量のDVD、HD(Hard Disk)を採用した楽曲再生装置の登場によって、再生可能な状態で楽曲再生装置に格納される楽曲数が増大している。その結果、１つの楽曲再生装置に１０００曲以上の楽曲が格納されることも珍しくない。
【０００３】
従来、多数の楽曲からユーザが好みの楽曲を再生する方法として、プレイリストを利用して再生する方法が知られている。ユーザは、楽曲再生装置に備えられるディスプレイ装置に表示される曲名やアーティスト名、アルバム名を見ながら、楽曲を選択し、選択された楽曲をプレイリストに登録する。そして楽曲再生装置は、プレイリストに登録された楽曲を再生する。これは、例えば、プログラムモードといった名称の機能として楽曲再生装置に搭載されるものである。
【０００４】
また、楽曲再生装置に格納される多数の楽曲を再生する方法として、特許文献１によれば、利用時の目的、場所、季節に応じた音楽を流し、又はユーザの趣味嗜好に合わせたレストランや宿泊施設の表示を目的として、時間情報を含む一次判断情報やユーザの嗜好情報を含む二次判断情報に応じてリンクされたコンテンツ情報が出力されるデータ提供サービスシステムが提案されている。
【特許文献１】特開２００３−１８７１４６号公報
【発明の開示】
【発明が解決しようとする課題】
【０００５】
しかしながら、従来技術のプレイリストを利用した再生方法は、プレイリストの作成と、作成された多数のプレイリストからの選択とが共にユーザの負担となる問題を含んでいる。ユーザは、ディスプレイ装置に表示される情報を基に、プレイリストに登録する楽曲を多数の楽曲の中から検索し、手動で選択しなければならない。このため、ユーザがプレイリストを作成するには手間がかかる。
【０００６】
また、多数のプレイリストが作成された結果、どの楽曲がどのプレイリストに登録されているか対応関係が不明になり、ユーザはプレイリストの選択に迷うこととなる。この場合、ユーザは、いちいち各プレイリストに登録された楽曲を確認することになり手間がかかる。
【０００７】
また、選択可能なプレイリストの数が逆に少ないと、ユーザの聴取行動がマンネリ化してしまうという問題もある。なお、特許文献１には、上述の一次判断情報や二次判断情報を基に、どのように楽曲が選択され、再生されるかについて具体的な開示はなされておらず、ユーザが楽曲の聴取行動において感じる、プレイリストの作成負担やプレイリストの選択負担を軽減する技術は提案されていない。
【０００８】
そこで本発明の目的は、プレイリストの作成を自動化してユーザがプレイリストを作成するのに感じる負担を軽減すると共に、作成されたプレイリストの選択を補助してプレイリストを選択するのに感じる負担を軽減する楽曲再生装置を提供することにある。
【課題を解決するための手段】
【０００９】
上記目的は、本発明の第一の側面によれば、利用者からの要求が入力される入力部と、前記利用者に提供される情報が表示される表示部と、楽曲の音データと、複数の主題に対し、前記楽曲が前記主題に沿うかをそれぞれ特定する複数の主題情報とが対応付けられる楽曲情報を複数含む楽曲表を含む記憶部と、前記記憶部から前記楽曲の音データを読み出して再生信号を出力する制御部とを備え、前記制御部は、前記楽曲表の前記主題情報に基づき、前記主題毎に、該主題に沿う前記楽曲を特定し、前記特定された楽曲を識別する情報を含むプレイリストを、所定のタイミングで作成するプレイリスト作成部と、前記主題毎に作成されるプレイリストのうち、複数のプレイリストを抽出し、前記抽出されるプレイリストに対応する前記主題を、前記表示部に表示する選択候補決定部と、前記表示部に表示される主題のうち、前記入力部を介して要求される主題に対応する前記プレイリストを取得し、該取得されたプレイリストにより識別される前記楽曲の音データを読み出して、前記再生信号を出力する再生部とを有することを特徴とする楽曲再生装置を提供することにより達成される。
【００１０】
上記目的は、本発明の第二の側面によれば、利用者からの要求が入力される入力部と、前記利用者に提供される情報が表示される表示部と、楽曲の音データと、複数の主題に対し、前記楽曲が前記主題に沿うかをそれぞれ特定する複数の主題情報とが対応付けられる楽曲情報を複数含む楽曲表を含む記憶部と、前記記憶部から前記楽曲の音データを読み出して再生信号を出力する制御部とを備え、前記制御部は、前記楽曲表の前記主題情報に基づき、前記主題毎に、該主題に沿う前記楽曲を特定し、前記特定された楽曲を識別する情報を含むプレイリストを、所定のタイミングで作成するプレイリスト作成部と、前記主題毎に作成されるプレイリストのうち、複数のプレイリストを抽出し、前記抽出されるプレイリストに対応する前記主題を、前記表示部に表示する選択候補決定部と、前記表示部に表示される主題のうち、前記入力部を介して要求される主題に対応する前記プレイリストを取得し、該取得されたプレイリストに含まれる楽曲のうち、前記利用者が前記入力部を介して要求する楽曲の音データを読み出して、前記再生信号を出力する再生部とを有することを特徴とする楽曲再生装置を提供することにより達成される。
【００１１】
上記発明の側面においてより好ましい実施例によれば、楽曲再生装置は、更に、時刻を取得する計時部を有し、前記主題は、時間概念を持つ主題を特定する時間概念情報により、前記時間概念を持つ主題と、前記時間概念を持たない主題とに分類されており、前記選択候補決定部は、前記計時部により取得される前記時刻に基づき、前記時間概念を持つ主題を選択し、該選択された主題に対応する前記プレイリストを抽出する。
【００１２】
上記発明の側面においてより好ましい実施例によれば、前記所定のタイミングは、前記楽曲表に含まれる前記楽曲情報が更新される時である。また、前記所定のタイミングは、前記主題の項目が更新される時や、前記入力部を介して楽曲再生要求が入力される時であっても構わない。
【００１３】
上記発明の側面においてより好ましい実施例によれば、前記プレイリストには、該プレイリストに対応する前記主題が前記表示部に表示された回数が対応付けられており、前記選択候補決定部は、前記抽出されるプレイリストに対応する前記主題の数が、前記表示部に表示可能な前記主題の数より多い場合、前記表示回数が最小の前記主題から優先的に前記表示部に表示する。また、上記発明の側面においてより好ましい実施例によれば、前記プレイリストには、該プレイリストにより識別される前記楽曲の曲数が対応付けられてお
り、前記選択候補決定部は、前記曲数が所定の閾値以上である前記プレイリストを抽出する。
【００１４】
上記発明の側面においてより好ましい実施例によれば、前記記憶部には、前記時間概念を持つ主題と前記時間概念を持たない主題とに関する表示数の配分を決定する情報が、前記入力部を介して変更可能に格納されており、前記選択候補決定部は、前記記憶部に格納される前記表示数の配分を決定する情報に基づき、前記時間概念を持つ主題と前記時間概念を持たない主題とをそれぞれ前記表示部に表示する。
【００１５】
上記発明の側面においてより好ましい実施例によれば、前記選択候補決定部は、更に、前記表示数の配分を、前記時間概念を持つ主題に属する前記楽曲の数と、前記時間概念を持たない主題に属する前記楽曲の数との比に基づき決定し、前記表示数の配分を決定する情報として前記記憶部に格納する。
【００１６】
上記発明の側面においてより好ましい実施例によれば、前記記憶部には、前記時間概念を階層的に分類する区分毎に、該区分に含まれる前記時間概念を持つ主題が対応付けられるテーマ表が格納されており、前記選択候補決定部は、最下層の区分に対応する前記テーマ表に基づき抽出されるプレイリストに対応する前記主題の数が、前記表示部に表示可能な前記主題の数より少ない場合、前記最下層の区分より上位の区分に対応する前記テーマ表に基づき、前記プレイリストを抽出する。
【００１７】
また、上記目的は、本発明の第三の側面によれば、利用者からの要求が入力される入力部と、利用者に提供される情報が表示される表示部と、楽曲の音データと、複数の主題に対し、前記楽曲が前記主題に沿うかをそれぞれ特定する複数の主題情報とが対応付けられる楽曲情報を複数含む楽曲表を含む記憶部と、前記記憶部から前記楽曲の音データを読み出して再生信号を出力する制御部とを備える楽曲再生装置を用いて行う楽曲再生方法であって、前記制御部は、前記楽曲表の前記主題情報に基づき、前記主題毎に、該主題に沿う前記楽曲を特定し、前記制御部は、前記特定された楽曲を識別する情報を含むプレイリストを、所定のタイミングで作成し、前記制御部は、前記主題毎に作成されるプレイリストのうち、複数のプレイリストを抽出し、前記制御部は、前記抽出されるプレイリストに対応する前記主題を、前記表示部に表示し、前記制御部は、前記表示部に表示される主題のうち、前記入力部を介して要求される主題に対応する前記プレイリストを取得し、前記制御部は、該取得されたプレイリストにより識別される前記楽曲の音データを読み出して、前記再生信号を出力することを特徴とする楽曲再生方法を提供することにより達成される。
【００１８】
また、上記目的は、本発明の第四の側面によれば、利用者からの要求が入力される入力部と、利用者に提供される情報が表示される表示部と、楽曲の音データと、複数の主題に対し、前記楽曲が前記主題に沿うかをそれぞれ特定する複数の主題情報とが対応付けられる楽曲情報を複数含む楽曲表を含む記憶部と、前記記憶部から前記楽曲の音データを読み出して再生信号を出力する制御部とを備える楽曲再生装置に、前記楽曲表の前記主題情報に基づき、前記主題毎に、該主題に沿う前記楽曲を特定する手順と、前記特定された楽曲を識別する情報を含むプレイリストを所定のタイミングで作成する手順と、前記主題毎に作成されるプレイリストのうち、複数のプレイリストを抽出する手順と、前記抽出されるプレイリストに対応する前記主題を前記表示部に表示する手順と、前記表示部に表示される主題のうち、前記入力部を介して要求される主題に対応する前記プレイリストにより識別される前記楽曲の音データを読み出して前記再生信号を出力する手順とを実行させるためのプログラムを提供することにより達成される。
【００１９】
また、上記目的は、本発明の第五の側面によれば、楽曲の音データと、複数の主題に対
し、前記楽曲が前記主題に沿うかをそれぞれ特定する複数の主題情報とが対応付けられる楽曲情報を複数含む楽曲表を含む記憶部と、前記記憶部から前記楽曲の音データを読み出して再生信号を出力する制御部とを備える楽曲再生装置を用いて行う楽曲の選曲方法であって、前記制御部は、前記楽曲表の前記主題情報に基づき、前記主題毎に、該主題に沿う前記楽曲を特定し、前記制御部は、前記特定された楽曲を識別する情報を含むプレイリストを、所定のタイミングで作成し、前記主題毎に作成されるプレイリストのうち、複数のプレイリストを抽出することを特徴とする楽曲の選曲方法を提供することにより達成される。
【発明の効果】
【００２０】
本発明を例えばカーナビゲーション装置に適用すれば、ユーザが自動車に乗る時間や季節に応じて、対応するプレイリストの候補がディスプレイに表示され、ユーザは、カーナビゲーション装置によって提案されるプレイリストを選択するだけで楽曲を再生することができる。ディスプレイに表示されるプレイリストは、自動車に乗る時間等の違いに応じて変化するため、ユーザの聴取行動がマンネリ化することが防止される。また、各プレイリストに登録される楽曲は、楽曲再生装置に格納される楽曲から所定のテーマに沿って自動的に選択されるため、ユーザはプレイリストを手動で作成することなく、楽曲の聴取を楽しむことができる。
【発明を実施するための最良の形態】
【００２１】
以下、本発明の実施の形態について図面に従って説明する。しかしながら、本発明の技術的範囲はかかる実施の形態に限定されるものではなく、特許請求の範囲に記載された発明とその均等物にまで及ぶものである。
【００２２】
本発明の実施形態は、CD/DVD/MDプレイヤを含むオーディオセット、携帯電話、ポータ
ブルオーディオ、カーオーディオセット、HDDプレイヤ、PC(Personal Computer)等さまざまな楽曲再生装置に適用可能である。本明細書においては、楽曲再生装置の一例としてカーナビゲーション装置を使用する場合の例を説明する。
【００２３】
図１は、本発明の実施形態におけるカーナビゲーション装置１の構成ブロック図である。カーナビゲーション装置１は、バス３０を介して互いに接続される制御部１１、RAM(Random Access Memory)１２、計時部１３、HDD (Hard Disk Drive)１４、ドライブ装置１５、情報が入力される入力部１６、スピーカ１７、情報を出力し、ユーザに情報を与えるための表示部１８、センサ信号処理部１９、そして外部との通信を処理する通信部２０を含む。
【００２４】
制御部１１は、図示省略されたCPU(Central Processing Unit)を含み、RAM１２に格納
されるプログラムを実行し、カーナビゲーション装置１に含まれる各部を制御する。RAM
１２は、カーナビゲーション装置１の処理における演算結果やプログラムが一時的に格納される記憶手段である。
【００２５】
計時部１３は、カーナビゲーション装置１に内蔵された時計又は、通信部２０を介して接続される外部のNTP (Network Time Protocol)サーバから現在時刻を取得する。HDD１４は、カーナビゲーション装置１を制御するOS (Operating System) 等のプログラム、楽曲の音データの他、ナビゲーション用の地図情報を格納する。
【００２６】
ドライブ装置１５は、CD(Compact Disc)、DVD(Digital Versatile Disk)、MD(Mini Disk)、フラッシュメモリ等の記憶媒体に格納された情報を読み出す。ドライブ装置１５は、新たな楽曲の音データを追加する場合や、ナビゲーション用の地図情報を更新する場合に使用される。
【００２７】
入力部１６は、ボタン、十字キー、液晶ディスプレイに備えられるタッチパネル等ユーザの要求が入力される入力手段である。スピーカ１７は、カーナビゲーション装置１で再生される音声を出力する出力手段であり、表示部１８は、情報を出力し、ユーザに情報を与えるための表示手段であり、液晶ディスプレイ等ユーザに情報を提供する表示手段である。
【００２８】
センサ信号処理部１９は、各種センサからの信号を処理してそれを制御部１１に与える。各種センサには、例えば、自車の現在地を計測するためのGPS(Global Positioning System)センサ、車輪の回転数に応じて発生する車速パルスに基づき走行距離を算出する距離センサ、進行方向を検出するジャイロセンサ、ウインカの始動を検出し、右左折のどちらかを特定するウインカセンサなどが含まれる。
【００２９】
通信部２０は、通信機能を有し、カーナビゲーション装置１の外部との通信を処理する。通信部２０は、例えば、カーナビゲーション装置１に内蔵される無線ユニットや、カーナビゲーション装置１に接続される携帯電話によって実現される。カーナビゲーション装置１は、通信部２０を介して接続される外部サーバから、上述したような時刻情報（NTP
サーバより）、地図情報の更新情報、そして楽曲の音データ等さまざまな情報を入手することができる。
【００３０】
本実施形態のカーナビゲーション装置１に対して、ユーザは、ドライブ装置１５を介して、所有する音楽CD等に録音される楽曲の音データを移すことができる。または、ユーザは、カーナビゲーション装置１を通信部２０を介して外部の音楽コンテンツサーバに接続することで、その音楽コンテンツサーバから楽曲の音データをカーナビゲーション装置１に移すことができる。音楽CDや音楽コンテンツサーバ等からカーナビゲーション装置１に移された楽曲の音データは、カーナビゲーション装置１のHDD (Hard Disk Drive)１４に
蓄積される。
【００３１】
カーナビゲーション装置１の表示部１８には、ユーザとのインタフェースとして、ユーザに楽曲再生用のメニューを含むメニューが表示される。特に本実施形態においては、予め所定のテーマに対応するプレイリストが、HDD１４に蓄積された楽曲に対して作成され
、表示部１８に、時宜に合わせたテーマが表示される。こうして、ユーザは、表示部１８に表示されたメニューから楽曲再生用のメニューを入力部１６を使用して選択し、表示されるテーマから好みのテーマを選択するだけで、そのテーマに対応するプレイリストに登録された楽曲を、スピーカ１７から再生される音声として聴取することができる。
【００３２】
図２は、本実施形態におけるカーナビゲーション装置１の動作を、表示部１８に表示される画面例で説明する図である。画面２０１は、表示部１８に表示されるカーナビゲーション装置１のメニュー画面の例である。メニューには、音楽を再生するための「音楽再生」ボタン９１が用意され、タッチパネルタイプの表示部１８であれば、このボタンに触れることにより、次の画面が展開される。
【００３３】
画面２０２は、画面２０１で、音楽再生ボタン９１が選択されることにより展開される再生メニュー画面である。再生メニューには、HDD１４に格納された楽曲を先頭から再生
するためのモードを示す「先頭から」、ランダムに再生するためのモードを示す「ランダム再生」、ユーザの指定する楽曲を再生する「プログラム再生」がある。画面２０２には、更に、本実施形態のカーナビゲーション装置１の特徴である、事前に作成されたプレイリストから現在時刻を基に選択されたプレイリストを、ユーザに選択候補として提示するための「おまかせ再生」が再生メニューとして含まれることが描かれる。
【００３４】
画面２０３は、画面２０２にて「おまかせ再生」が選択されることにより展開される画面である。画面２０３に表示されるテーマは、それぞれプレイリストの題名に対応しており、画面２０３において、ユーザによりテーマが選択されると、対応するプレイリストに含まれる楽曲が再生される。
【００３５】
ユーザは、リモコンやタッチパネル、十字キー等の入力部１６を介して、画面２０３に表示されるテーマを選択することができる。例えば、「冬」ボタン９２が選択されると、「冬」に関するプレイリストに含まれる楽曲が再生される。
【００３６】
図２において、各テーマに対応するプレイリストは、事前にHDD１４に蓄積された楽曲
に基づき、カーナビゲーション装置１が自動的に作成するものである。また、「おまかせ再生」を選択すると表示されるテーマ（＝プレイリストの題名）は、作成済みのプレイリストの題名からカーナビゲーション装置１が取得する時刻を基に選択される。
【００３７】
こうして、ユーザは、プレイリストの作成負担、プレイリストの選択負担を感じることなく楽曲の聴取を楽しむことができる。つまり、ユーザが自動車に乗る時間や季節に応じて、対応するプレイリストの候補がディスプレイに表示され、ユーザは、カーナビゲーション装置１によって提案されるプレイリストを選択するだけで楽曲を再生することができる。
【００３８】
ディスプレイに表示されるプレイリストは、自動車に乗る時間等の違いに応じて変化するため、ユーザの聴取行動がマンネリ化することが防止される。また、各プレイリストに登録される楽曲は、楽曲再生装置に格納される楽曲から所定のテーマに沿って自動的に選択されるため、ユーザはプレイリストを手動で作成することなく、楽曲の聴取を楽しむことができる。
【００３９】
図３は、本発明の実施形態におけるカーナビゲーション装置１の機能ブロック図である。カーナビゲーション装置１の制御部１１は、プレイリスト作成部１１１、選択候補決定部１１２、再生部１１３を含む。制御部１１の各機能部は、制御部１１に備えられる図示省略されたCPUで実行されるプログラムとして実現されるが、専用LSI (Large Scale Integration)等ハードウェアにより実現することも可能である。
【００４０】
プレイリスト作成部１１１は、HDD１４に格納された楽曲に基づき、所定のタイミング
でプレイリストを自動作成する。楽曲は、楽曲の音データと、楽曲が所定のテーマに沿ったものであるかを示すテーマフラグと共にHDD１４の楽曲表１４１に格納されている。
【００４１】
そこで、プレイリスト作成部１１１は、HDD１４の楽曲表１４１を参照し（Ｍ１）、所
定のテーマ毎にプレイリストを作成し、HDD１４のプレイリスト表１４２に格納する（Ｍ
２）。所定のタイミングとは、楽曲表１４１が更新されるタイミング、プレイリストを作成するためのテーマの項目が更新されるタイミング、そして、画面２０２において「おまかせ再生」が選択されるタイミングなどである。
【００４２】
ここで、「更新」と呼ぶのは、追加及び削除を含む。つまり、楽曲表１４１の更新のタイミングは、楽曲表１４１に新たな楽曲が追加されるタイミングと楽曲表１４１から楽曲が削除されるタイミングとを含む。テーマの項目の更新のタイミングは、新たなテーマが追加されるタイミングとテーマが削除されるタイミングとを含む。
【００４３】
プレイリスト作成部１１１が行うプレイリストの作成を具体的に把握するために、続いて、楽曲表１４１と、プレイリストが複数格納されるプレイリスト表１４２のデータ構成例について説明する。
【００４４】
図４は、楽曲表１４１のデータ構成例を示す図である。楽曲表１４１に格納される各エントリ（１行分のデータ）をここでは楽曲情報と呼ぶことにする。各楽曲情報は、「楽曲ID」「基本情報」「テーマフラグ」というデータ項目を含む。「基本情報」は、更に、下位項目として、「タイトル」、「演奏者」、「ファイル」というデータ項目を、また、「テーマフラグ」は、更に、各テーマが題名となる下位項目を含む。
【００４５】
「楽曲ID」は、HDD１４に蓄積される楽曲を識別する識別子である。楽曲を管理するた
めに、各楽曲に対し異なる識別子が振られる。
【００４６】
「タイトル」は、楽曲のタイトルを、「演奏者」は、楽曲の演奏者を、「ファイル」は、楽曲の音データが格納されるファイルパスを、それぞれ示す。例えば、図４には、mp3 (MPEG 1 Audio Layer-3) ファイルが音データの一例として描かれる。基本情報のデータ
項目としては、他にも、楽曲のアルバムタイトルや、楽曲の演奏時間、作曲者や作詞者に関する情報、演奏者に関する情報等が用意されていても構わない（図４では省略されている）。
【００４７】
「テーマフラグ」は、楽曲が所定のテーマに沿うかをそれぞれ特定するフラグ情報である。楽曲が、所定のテーマに沿う場合、対応するエントリには「Ｙ」が格納され、所定のテーマに沿わない場合、対応するエントリには「−」が格納される。
【００４８】
例えば、図４には、テーマとして「冬」「朝」「星空」「スキー」「クリスマス」「雪」「晴れ」「世界」「青春」が描かれる。そして、楽曲IDが１である楽曲は、「冬」「朝」というテーマに沿う楽曲であることが、テーマフラグにより判別する。
【００４９】
各楽曲が、所定のテーマに沿ったものかどうかを分類するには、２通りの方法が知られている。１つは、楽曲をテーマ別に分類するための楽曲データベース（図示省略）が事前にHDD１４に構築され、カーナビゲーション装置１は、基本情報（例えば、楽曲のタイト
ルと演奏者との組合せ）に基づく検索を行い、楽曲を分類するものである。
【００５０】
楽曲データベースの構築は、通常カーナビゲーション装置１の製造者により行われ、ユーザの購入時にはその楽曲データベースは使用可能な状態にある。すると、例えば、ユーザが所有するCDから楽曲の音データをカーナビゲーション装置１に写す場合、そのCDには基本情報以外の情報が格納されていないとしても、カーナビゲーション装置１は、楽曲が所定のテーマに沿うかを分類することができる。
【００５１】
別の方法は、カーナビゲーション装置１を、楽曲の分類サービスを提供する外部のサーバに、通信部２０を介して接続し、カーナビゲーション装置１が、HDD１４に蓄積された
未分類の楽曲が所定のテーマに沿うかをその外部サーバに問合せるものである。すると、楽曲データベースに情報が無い楽曲であっても、カーナビゲーション装置１は、楽曲が所定のテーマに沿うかを分類することができる。
【００５２】
こうして、ユーザがHDD１４に楽曲の音データを追加すると、追加された楽曲が所定の
テーマに沿うものか分類され、楽曲表１４１に楽曲情報が追加される。
【００５３】
プレイリスト作成部１１１が作成するプレイリストは、テーマ毎に、「Ｙ」が格納されるエントリの楽曲IDを特定するものである。例えば、図４において、「冬」というテーマに沿うものとされる楽曲は、楽曲IDが１と５の楽曲であることから、プレイリストの題名として「冬」なるものが作成され、プレイリスト「冬」は、楽曲IDが１と５の楽曲を含むことになる。
【００５４】
テーマに沿う楽曲が存在しない場合もある。例えば、図４において、「青春」というテーマに沿う楽曲は、まだHDD１４には蓄積されていない。そこで、プレイリストの題名と
して「青春」なるものは作成されない。
【００５５】
しかし、新たな楽曲が楽曲表１４１に追加されるとき、それまで存在していなかったプレイリストが新たに作成されることがある。図４において、新たに追加される楽曲情報（楽曲IDが８）は、「冬」「青春」というテーマに沿う楽曲である。そこで、この楽曲が楽曲表１４１に追加されるタイミングで、プレイリスト「冬」が更新されると共に、プレイリスト「青春」が作成されることになる。
【００５６】
また、楽曲表１４１において、主題の題名が新たに追加される場合にも、プレイリストが更新される。その場合、既に分類が済んでいる楽曲に対し、追加されたテーマに沿っているかの分類が再度行われ、プレイリストが作成される。例えば、図４のテーマ「ドライブ」が追加されると、楽曲IDが４の楽曲は追加されたテーマに沿うものであることになり、プレイリスト「ドライブ」なるものが作成されることになる。
【００５７】
図５は、プレイリストを複数含むプレイリスト表１４２のデータ構成例を示す図である。図５のプレイリストは、「プレイリスト名」「時間概念フラグ」「楽曲IDリスト」「曲数」「表示回数」というデータ項目を含む。
【００５８】
「プレイリスト名」は、プレイリストを識別するための題名であり、楽曲表１４１のテーマフラグの下位項目であるテーマ（「冬」「朝」等）に対応する。ユーザがプレイリストを選択するのを補助するために、このプレイリスト名が、表示部１８に選択候補メニューとして表示される。つまり、プレイリスト名は、ユーザがプレイリストを選択するための手がかりとなる。
【００５９】
「時間概念フラグ」は、プレイリスト名であるテーマが、時間概念を含むものであるかを示すフラグ情報である。時間概念を含むテーマとは、それを聞いたユーザに、季節、特定の月、特定の日付や特定の時間を想像させる語句であり、例えば、「冬」（季節を想像させる）、「朝」（特定の時間を想像させる）、「星空」（日没後の時間を想像させる）、「スキー」（冬を想像させる）、「クリスマス」（特定の日付を想像させる）、そして「雪」（冬を想像させる）が図５に例示されている。
【００６０】
「楽曲IDリスト」は、プレイリストに含まれる楽曲を、楽曲表１４１における楽曲ID（図４）により特定する識別子である。１つの楽曲IDリストにはそのプレイリストに含まれる複数の楽曲を特定する識別子が含まれていてよい。
【００６１】
「曲数」は、プレイリストに含まれる楽曲の曲数を示す数値である。ユーザが選択したプレイリストに含まれる曲数が少ない場合、ユーザは短時間の内に何回もプレイリストを選択することになり、プレイリストの選択負担が増してしまう。そこで、例えば、カーナビゲーション装置１は、所定の曲数を含むプレイリストを表示部１８に表示するようにして、上記問題を回避する。
【００６２】
「表示回数」は、プレイリスト名であるテーマが表示部１８に表示された回数を示す数値である。カーナビゲーション装置１は、表示された回数が少ないプレイリストから表示部１８に表示して、プレイリストを満遍なく選択する機会をユーザに与える。これは、特定のプレイリストだけが表示され、ユーザの聴取行動がマンネリ化することを防ぐためである。
【００６３】
また、図４で説明したテーマの項目の追加に伴い新たなプレイリストが作成されると、対応するプレイリストの情報（例えば、図４で追加されたテーマ「ドライブ」に関する情報）がプレイリスト表１４２に追加されることになる。
【００６４】
図３に戻り、選択候補決定部１１２は、入力部１６を介して音楽再生要求が入力されると、
配分表１４３を参照し、表示部１８に表示可能なテーマの数を取得する（Ｍ３）。音楽再生要求は、例えば、図２において、入力部１６を介して、画面２０２の「おまかせ再生」が選択されることによりカーナビゲーション装置１に入力される。
【００６５】
そして、選択候補決定部１１２は、計時部１３より現在時刻を取得し、テーマ表１４４を参照して、その現在時刻に基づくテーマを決定し（Ｍ４）、決定されたテーマに対し、プレイリストが作成されているかを確認して、表示部１８に表示するテーマを、表示部１８に表示可能なテーマ数分決定する（Ｍ５）。
【００６６】
選択候補決定部１１２が表示部１８に表示するテーマをどのように決定するかを具体的に把握するために、続いて、配分表１４３と、テーマ表１４４のデータ構成例について説明する。
【００６７】
図６は、配分表１４３のデータ構成例を示す図である。配分表１４３は、表示部１８に、時間概念を持つテーマがいくつ表示され、時間概念を持たないテーマがいくつ表示されるかを特定する表である。従って、図６の配分表は、「概念」「表示テーマ数」というデータ項目を含み、時間概念、非時間概念に対して表示されるテーマ数がそれぞれ格納されている。
【００６８】
例えば、図６に示される数値例は、表示部１８に時間概念を持つテーマが３つ表示され、時間概念を持たないテーマが２つ表示されることを意味し、３つの時間概念テーマ「冬」「スキー」「朝」と２つの時間概念テーマ「青春」「晴れ」が表示される図１の画面２０３に対応している。なお、後述するように配分表１４３に格納される数値は、入力部１６を介して変更可能である。
【００６９】
図７は、計時部１３が取得する時刻情報の一例を示す図である。図７に示される「２００５年」からは年に関するテーマが想起される。「１２月１日」からは日付に関するテーマが想起される。また、「１２月」からは、月に関するテーマと季節に関するテーマが想起される。「７時７分」からは、時間区分に関するテーマが想起される。時刻情報から想起される時間概念を持つテーマは、階層構造をしており、選択候補決定部１１２は、現在時刻に基づくテーマを決定する（Ｍ４）にあたり、下位の階層（時間区分）から、上位の階層（日付、季節、年等）に向かってテーマを検索する。
【００７０】
図８は、時間概念を持つテーマの階層構造を説明する図である。図８には、１年間が１２ヶ月であることが示され、月から季節区分を導出するための季節区分導出表が示される。例えば、図８では、３月〜５月は春、６月は梅雨、７月〜９月は夏、１０月と１１月は秋、１２月〜翌２月は冬と分類される。
【００７１】
また、１ヶ月は、所定日数を含むことが示され、１２月の日付に関するテーマ表１４４が示される。例えば、１２月１０日には、ボーナスの支払日を示す「ボーナス」が、１２月２５日には、「クリスマス」が、１２月３１日には、１年の締めくくりを示す「大晦日」というテーマが対応付けられている。
【００７２】
更に、１日間は２４時間であり、時間に応じてテーマが対応付けられていても良いこと
が示される。
【００７３】
図９Ａは、選択候補決定部１１２が、現在時刻に基づくテーマを決定する（Ｍ４）にあたり、時間から時間区分を導出するための時間区分導出表のデータ構成例を示す図である。時間区分は、２４時間を意味のある時間帯に分割するときの区分である。
【００７４】
図９Ａの時間区分導出表は、「時間帯」「時間区分」というデータ項目を含み、現在時間が含まれる時間帯と時間区分との対応関係を示す。例えば、７時７分は、「朝」という時間区分に分類される。
【００７５】
なお、時間区分ではなく、図８に示すように各時間に対しテーマが対応付けられていてもよい。
【００７６】
図９Ｂは、選択候補決定部１１２が、現在時刻に基づくテーマを決定する（Ｍ４）にあたり、時間からテーマを導出するための、時間に関するテーマ表１４４のデータ構成例を示す図である。図９Ｂの時間に関するテーマ表１４４は、「時間区分」「テーマリスト」というデータ項目を含み、時間区分と、その時間区分に設定されるテーマとの対応関係を示す。
【００７７】
例えば、時間区分「朝」に、「朝」（たまたま時間区分を表すタイトルと同じ語句である）というテーマが含まれることが図９Ｂには示される。同様に、図９Ｂには、時間区分「夜」に、「星空」というテーマが含まれることが示される。選択候補決定部１１２は、図７に示す時刻情報の場合、「７時７分」→時間区分「朝」（図９Ａの時間区分導出表）→テーマ「朝」（図９Ｂの時間に関するテーマ表１４４）→プレイリスト「朝」（図５のプレイリスト表１４２）と辿り、表示部１８に表示するプレイリスト（＝テーマ）を決定する。
【００７８】
図１０は、選択候補決定部１１２が、現在時刻に基づくテーマを決定する（Ｍ４）にあたり、月からテーマを導出するための、月に関するテーマ表１４４のデータ構成例を示す図である。図１０の月に関するテーマ表１４４は、「月」「テーマリスト」というデータ項目を含み、月と、その月に設定されるテーマとの対応関係を示す。
【００７９】
例えば、図１０には、１２月に、「ボーナス、クリスマス、大晦日」というテーマが含まれることが示される。選択候補決定部１１２は、図７に示す時刻情報の場合、「１２月１日」→テーマなし（図８の日付に関するテーマ表１４４）として、まず日付に基づきテーマを探索する。
【００８０】
選択候補決定部１１２は、次に「１２月」→テーマ「ボーナス、クリスマス、大晦日」（図１０の月に関するテーマ表１４４）→プレイリスト「クリスマス」（図５のプレイリスト表１４２）と辿り、表示部１８に表示するプレイリスト（＝テーマ）を決定する。「ボーナス」「大晦日」については、図５においてプレイリストが作成されておらず、表示部１８には表示されない。
【００８１】
図１１は、選択候補決定部１１２が、現在時刻に基づくテーマを決定する（Ｍ４）にあたり、季節からテーマを導出するための、季節に関するテーマ表１４４のデータ構成例を示す図である。図１１の季節に関するテーマ表は、「季節区分」「テーマリスト」というデータ項目を含み、季節と、その季節に設定されるテーマとの対応関係を示す。
【００８２】
例えば、図１１には、季節区分「冬」に、「冬、クリスマス、スキー、雪」というテーマが含まれることが示される。選択候補決定部１１２は、図７に示す時刻情報の場合、「
１２月」→季節区分「冬」（図８に示す季節導出表）→テーマ「冬、クリスマス、スキー、雪」（図１１の季節に関するテーマ表１４４）→プレイリスト「冬」「クリスマス」「雪」（図５のプレイリスト表１４２）と辿り、表示部１８に表示するプレイリスト（＝テーマ）を決定する。
【００８３】
図１２は、選択候補決定部１１２が、現在時刻に基づくテーマを決定する（Ｍ４）にあたり、年からテーマを導出するための、年に関するテーマ表１４４のデータ構成例を示す図である。図１２の年に関するテーマ表は、「年」「テーマリスト」というデータ項目を含み、年と、その年に設定されるテーマとの対応関係を示す。
【００８４】
例えば、図１２には、「２００６年」は、干支でいうと戌年であり、サッカーワールドカップ大会が予定されており、「サッカーワールドカップ、イヌ」というテーマが含まれることが示される。選択候補決定部１１２は、図７に示す時刻情報の場合、「２００５年」→テーマ「トリ」（図１２の年に関するテーマ表１４４）と辿るものの、図５のプレイリスト表１４２には、テーマが「トリ」であるプレイリストが作成されていないため、表示部１８に表示するプレイリストとしては何も選択しない。
【００８５】
こうして、時刻情報から想起される時間概念を持つテーマは、階層構造をしており、選択候補決定部１１２は、現在時刻に基づくテーマを決定する（Ｍ４）にあたり、下位の階層（時間区分）から、上位の階層（日付、季節、年等）に向かってテーマを検索する。一般に、階層を上がるほど、多くのテーマを取得することができる。
【００８６】
図３に戻り、選択候補決定部１１２は、配分表１４３により指定される表示テーマ数に到達するまで、現在時刻に基づきプレイリスト（＝テーマ）を決定し、決定されたプレイリスト（＝テーマ）を図２の画面２０３に示されるように表示部１８に表示する。
【００８７】
再生部１１３は、表示されたテーマからユーザによりテーマが指定されると、プレイリスト表１４２を参照して、指定されたテーマに対応するプレイリストを検索し、プレイリストに含まれる楽曲の音データを取得し、所定のコーデックによりアナログ信号に変換し出力する（Ｍ６）。なお、ユーザが指定するテーマは、例えば、図２において、入力部１６を介して、画面２０３の「冬」ボタン９２が選択されることによりカーナビゲーション装置１に入力される。
【００８８】
以上、図３の機能ブロック図において説明したナビゲーション装置の動作を改めてフローチャートとして説明しておく。なお、図３の機能ブロック図の説明に登場する処理Ｍ１〜Ｍ６が、フローチャートの説明にも対応するため、各処理Ｍ１〜Ｍ６の説明については該当する箇所を参照されたい。
【００８９】
図１３は、本実施形態におけるカーナビゲーション装置１の動作を説明するフローチャートである。まず、カーナビゲーション装置１は、所定のタイミングでプレイリストを作成する（Ｓ０）。ステップＳ０の処理は、具体的には、プレイリスト作成部１１１が行う処理Ｍ１、処理Ｍ２に該当するため、説明は略す。
【００９０】
次に、カーナビゲーション装置１は、ユーザからの楽曲再生要求が入力部１６を介して入力されると、現在の時間情報を取得する（Ｓ２）。ステップＳ２の処理は、計時部１３が現在時刻を取得する処理である。
【００９１】
カーナビゲーション装置１は、ステップＳ２の処理が済むと、表示部１８に表示するテーマを決定する（Ｓ４）。ステップＳ４の処理は、具体的には、選択候補決定部１１２が行う処理Ｍ３、処理Ｍ４、処理Ｍ５に該当するが、次図において再度説明する。
【００９２】
そして、カーナビゲーション装置１は、ステップＳ４で決定されたテーマを表示部１８に表示する（Ｓ６）。ステップＳ６の処理は、選択候補決定部１１２が、決定されたテーマを、図２の画面２０３に示すように表示部１８に表示する処理である。
【００９３】
最後に、カーナビゲーション装置１は、ユーザによって選択されたテーマが入力部１６を介して入力されると、選択されたテーマに対応するプレイリストに含まれる楽曲を再生する（Ｓ８）。ステップＳ８の処理は、具体的には、再生部１１３が行う処理Ｍ６に該当するため、説明は略す。
【００９４】
図１４は、表示部１８に表示されるテーマの決定処理（図１２ステップＳ４）を説明するフローチャートである。まず、選択候補決定部１１２は、ステップＳ２で取得される時間情報から想起されるテーマをすべて抽出する（Ｓ４０）。図７において説明したように、１つの時間情報からは、時間、日付、月、季節、年など、関連するさまざまなテーマが抽出される。
【００９５】
選択候補決定部１１２は、抽出されたテーマに対応するプレイリストが作成されているかを、下位の階層に属するテーマからそれぞれ確認し、プレイリストが作成されていれば、表示部１８に表示する。ただし、プレイリストに含まれる楽曲数が少ない場合、ユーザは、頻繁に別のプレイリストを選択する必要が生じるため、プレイリストに含まれる楽曲数が所定の曲数未満である場合、そのプレイリストは除外される。
【００９６】
選択候補決定部１１２は、まず、現在時刻に対応する時間区分を特定し、時間区分に設定されたテーマのうち、プレイリストが作成されているテーマがあるかプレイリスト表１４２を検索する（Ｓ４１）。この処理については、図９Ａ、図９Ｂにおいて説明した通りである。
【００９７】
そして、上記条件に合うプレイリストが作成されていれば、その登録曲数が所定の閾値以上であるか判定する（Ｓ４２）。登録曲数が所定の閾値以上であれば（Ｓ４２Ｙｅｓ）、選択候補決定部１１２は、表示部１８に表示するテーマとして決定する（Ｓ４９）。
【００９８】
この時点で、配分表１４３の時間概念に対する表示テーマ数（図６参照）到達したかが判定され、表示テーマ数に到達していれば（Ｓ５０Ｙｅｓ）、ステップＳ６の処理に進む。表示テーマ数に到達していなければ（Ｓ５０Ｎｏ）、ステップＳ４０に戻り、テーマの決定処理が続行される。
【００９９】
ステップＳ４２において、登録曲数が所定の閾値未満であれば（Ｓ４２Ｎｏ）、選択候補決定部１１２は、現在時刻に対応する日付を特定し、日付あるいは月に設定されたテーマのうち、
プレイリストが作成されているテーマがあるかプレイリスト表１４２を検索する（Ｓ４３）。
この処理については、図８、図１０において説明した通りである。
【０１００】
そして、上記条件に合うプレイリストが作成されていれば、その登録曲数が所定の閾値以上であるか判定する（Ｓ４４）。登録曲数が所定の閾値以上であれば（Ｓ４４Ｙｅｓ）、選択候補決定部１１２は、表示部１８に表示するテーマとして決定する（Ｓ４９）。
【０１０１】
ステップＳ４４において、登録曲数が所定の閾値未満であれば（Ｓ４４Ｎｏ）、選択候補決定部１１２は、現在時刻に対応する季節を特定し、季節に設定されたテーマのうち、プレイリストが作成されているテーマがあるかプレイリスト表１４２を検索する（Ｓ４５
）。この処理については、図１１において説明した通りである。
【０１０２】
そして、上記条件に合うプレイリストが作成されていれば、その登録曲数が所定の閾値以上であるか判定する（Ｓ４６）。登録曲数が所定の閾値以上であれば（Ｓ４６Ｙｅｓ）、選択候補決定部１１２は、表示部１８に表示するテーマとして決定する（Ｓ４９）。
【０１０３】
ステップＳ４６において、登録曲数が所定の閾値未満であれば（Ｓ４６Ｎｏ）、選択候補決定部１１２は、現在時刻に対応する年を特定し、年に設定されたテーマのうち、プレイリストが作成されているテーマがあるかプレイリスト表１４２を検索する（Ｓ４７）。この処理については、図１２において説明した通りである。
【０１０４】
そして、上記条件に合うプレイリストが作成されていれば、その登録曲数が所定の閾値以上であるか判定する（Ｓ４８）。登録曲数が所定の閾値以上であれば（Ｓ４８Ｙｅｓ）、選択候補
決定部１１２は、表示部１８に表示するテーマとして決定し、登録曲数が所定の閾値未満であれば、ステップＳ６に進みそれまでにテーマとして決定されたテーマが表示部１８に表示されることになる。
【０１０５】
なお、図１４の処理においては、選択候補決定部１１２は、プレイリストに登録された楽曲数が所定の閾値以上のプレイリストを選択するが、図５のプレイリスト表１４２に含まれる「表示回数」の少ないプレイリストを優先的に選択することもできる。また、選択候補決定部１１２は、楽曲数と表示回数とを組み合わせてプレイリストを選択してもよい。また、非時間概念を持つテーマを選択する必要がある場合、選択候補決定部１１２は、図５の時間概念フラグが「Ｎｏ」であるエントリから任意に選択すれば済む。
【０１０６】
続いて、表示部１８におけるテーマの表示態様について説明する。本実施形態においては、配分表１４３に基づき、表示部１８に表示される時間概念を持つテーマと時間概念を持たないテーマの表示配分が決定される。ユーザは、配分表１４３に格納される数値を変更することで、テーマの表示レイアウトを変更することができる。
【０１０７】
図１５は、時間概念を持つテーマとそれ以外のテーマの配分数を設定するための画面例を示す図である。画面２１０は、表示部１８に表示されるカーナビゲーション装置１のメニュー画面の例である。メニューには、ナビゲーション装置における各種設定を行うための「設定」ボタン９２が用意され、タッチパネルタイプの表示部１８であれば、このボタンに触れることにより、次の画面が展開される。
【０１０８】
画面２１１は、画面２１０で、設定ボタン９３が選択されることにより展開されるサブメニュー画面である。サブメニューには、ラジオやテレビのチューニング設定を行うための、「AM/FM局設定」、そして配分値を設定するための「配分値設定」などが含まれる。
【０１０９】
画面２１２は、画面２１１にて「配分値設定」が選択されることにより展開される画面である。この画面において、ユーザがリモコンやタッチパネル、十字キー等の入力部１６を介して時間概念用、非時間概念用の配分値を入力することができる。配分値は、入力フィールド９４、９５に数字として入力される。決定ボタン９６に触れることにより、入力フィールドに入力された値が確定され、確認画面２１３が表示される。そして配分値は、図６に示すデータ形式で配分表１４３に格納される。
【０１１０】
また、この配分数は、プレイリスト表１４２を参照して、制御部１１が時間概念を持つテーマに属する楽曲数と、時間概念を持たないテーマに属する楽曲数の比に応じて決定してもよい。例えば、「時間概念フラグ」がYesであるテーマに属する「曲数」と、「時間
概念フラグ」がNoであるテーマに属する「曲数」との比が、３対２であれば、対応するテーマ数を３対２にすればよい。
【０１１１】
図１６は、時間概念を持つテーマとそれ以外のテーマが表示される画面例を示す図である。時間概念用の表示テーマ数が３、そして、非時間概念用の表示テーマ数が３である場合の例を示している。こうして、ユーザは、その表示レイアウトを変更することができる。
【０１１２】
図１７は、選択候補のテーマ数が、一度に表示可能なテーマ数を超える場合の画面例を示す図である。選択候補のテーマ数が、一度に表示可能なテーマ数を超える場合とは、例えば、時間概念用の表示テーマ数が３である場合に、現在時刻から想起されるテーマであって、プレイリストが作成済みであるテーマが３以上ある場合などである。
【０１１３】
図１７Ａは、一定時間毎に、既に表示されたテーマの一部または全部を置き換えて表示する様子を示す図である。例えば、選択候補決定部１１１は、図２に示す画面２０３から、図１７Ａに示す画面２１５に変化させる。図１７Ａにおいて、▲が付いたテーマが置換されたテーマであることを示す。
【０１１４】
図１７Ｂは、スクロールボタン９７によって、複数の画面を切り替えて表示する様子を示す図である。スクロールボタン９７に触れることにより、一度に表示しきれないテーマが順次表示される。
【０１１５】
なお、以上の実施形態においては、図２の画面２０３に示されるテーマをユーザが選択することにより、選択されたテーマに対応するプレイリストに含まれる楽曲が再生されるが、テーマを選択すると、選択されたテーマに対応するプレイリストに含まれる楽曲が展開され、展開された楽曲の中から、ユーザが選択した楽曲が再生されるようにしてもよい。
【０１１６】
図１８は、ユーザが楽曲を選択する様子を、表示部１８に表示される画面例で説明する図である。画面２０３は、図２における画面２０３と同一の画面である。画面２０３に表示されるテーマは、それぞれプレイリストの題名に対応しており、画面２０３において、ユーザによりテーマが選択されると、対応するプレイリストに含まれる楽曲が展開される。
【０１１７】
ユーザは、リモコンやタッチパネル、十字キー等の入力部１６を介して、画面２０３に表示されるテーマを選択することができる。例えば、「冬」ボタン９２が選択されると、「冬」に関するプレイリストに含まれる楽曲が展開される。
【０１１８】
画面２０４は、画面２０３で、「冬」ボタン９２が選択されることにより展開される楽曲候補画面である。画面２０４に示されるように、楽曲のタイトル（図４の楽曲表１４１における基本情報）がリスト表示され、ユーザは、再生したい楽曲を、入力部１６を介して選択することができる。
【０１１９】
図１８の処理は、再生部１１３が図３のステップＭ６の処理において、プレイリスト表１４２を参照し、指定されたテーマに対応するプレイリストに含まれる楽曲のタイトルを表示部１８に表示すれば済む。なお、画面２０１〜２０４に示されるメニューの提示、テーマの提示、楽曲候補の提示は、表示部１８を介して（視覚的に）行う方法の他、スピーカ１７を介して（聴覚的に）行う方法を利用することもできる。
【０１２０】
以上の説明においては、カーナビゲーション装置を楽曲再生装置の一例として説明を行
った。しかし、CD/DVD/MDプレイヤを含むオーディオセット、携帯電話、ポータブルオー
ディオ、カーオーディオセット、HDDプレイヤ、PC(Personal Computer)等の楽曲再生装置に対しても、本発明の実施形態の適用が可能であり、カーナビゲーション装置１で説明したのと同じ効果を得ることができる。また、以上の説明における実施形態を、楽曲再生装置における楽曲再生方法、楽曲選択方法として実行することも可能である。
【０１２１】
本実施形態によれば、ユーザは、プレイリストの作成負担、プレイリストの選択負担を感じることなく楽曲の聴取を楽しむことができる。つまり、ユーザが自動車に乗る時間や季節の違いに応じて、対応するプレイリストの候補がディスプレイに表示され、ユーザは、カーナビゲーション装置１によって提案されるプレイリストを選択するだけで楽曲を再生することができる。
【０１２２】
ディスプレイに表示されるプレイリストは、自動車に乗るたびに変化するため、ユーザの聴取行動がマンネリ化することが防止される。また、各プレイリストに登録される楽曲は、楽曲再生装置に格納される楽曲から所定のテーマに沿って自動的に選択されるため、ユーザはプレイリストを手動で作成することなく、楽曲の聴取を楽しむことができる。
【図面の簡単な説明】
【０１２３】
【図１】本発明の実施形態におけるカーナビゲーション装置の構成ブロック図である。
【図２】本実施形態におけるナビゲーション装置の動作概要を、表示部に表示される画面例で説明する図である。
【図３】本発明の実施形態におけるナビゲーション装置の機能ブロック図である。
【図４】楽曲表のデータ構成例を示す図である。
【図５】プレイリスト表のデータ構成例を示す図である。
【図６】配分表のデータ構成例を示す図である。
【図７】計時部が取得する時刻情報の一例を示す図である。
【図８】時間概念を持つテーマの階層構造を説明する図である。
【図９】Ａは、時間から時間区分を導出するための時間区分導出表のデータ構成例であり、Ｂは、時間からテーマを導出するための、時間に関するテーマ表のデータ構成例を示す図である。
【図１０】月からテーマを導出するための、月に関するテーマ表のデータ構成例を示す図である。
【図１１】季節からテーマを導出するための、季節に関するテーマ表のデータ構成例を示す図である。
【図１２】年からテーマを導出するための、年に関するテーマ表のデータ構成例を示す図である。
【図１３】本実施形態におけるナビゲーション装置の動作を説明するフローチャートである。
【図１４】表示部に表示されるテーマの決定処理を説明するフローチャートである。
【図１５】時間概念を持つテーマとそれ以外のテーマの配分数を設定するための画面例を示す図である。
【図１６】時間概念を持つテーマとそれ以外のテーマが表示される画面例を示す図である。
【図１７】選択候補のテーマ数が、一度に表示可能なテーマ数を超える場合の画面例を示す図であり、Ａは、一定時間毎に、既に表示されたテーマの一部または全部を置き換えて表示する様子を示し、Ｂは、スクロールボタンによって、複数の画面を切り替えて表示する様子を示す。
【図１８】ユーザが楽曲を選択する様子を、表示部に表示される画面例で説明する図である。
【符号の説明】
【０１２４】
１  ナビゲーション装置、１１  制御部、１２  RAM、１３  計時部、１４  HDD、１５
ドライブ装置、１６  入力部、１７  スピーカ、１８  表示部、１９  センサ信号処理部、２０  通信部、３０  バス、９１  音楽再生ボタン、９２  冬ボタン、９３  設定ボタン、９４  時間概念用入力欄、９５  非時間概念用入力欄、９６  決定ボタン、９７  スクロールボタン、１１１  プレイリスト作成部、１１２  選択候補決定部、１１３  再生部、１４１  楽曲表、１４２  プレイリスト表、１４３  配分表、１４４  テーマ表
【図１】
2006243854.tif 000003
【図２】
2006243854.tif 000004
【図３】
2006243854.tif 000005
【図４】
2006243854.tif 000006
【図５】
2006243854.tif 000007
【図６】
2006243854.tif 000008
【図７】
2006243854.tif 000009
【図８】
2006243854.tif 000010
【図９】
2006243854.tif 000011
【図１０】
2006243854.tif 000012
【図１１】
2006243854.tif 000013
【図１２】
2006243854.tif 000014
【図１３】
2006243854.tif 000015
【図１４】
2006243854.tif 000016
【図１５】
2006243854.tif 000017
【図１６】
2006243854.tif 000018
【図１７】
2006243854.tif 000019
【図１８】
2006243854.tif 000020